(57)【要約】【課題】  電源の出入力用として使用する電気コネクタソケットであって、接触面積が非常に小さいために、容易に脱落するという問題、接触不良を起こし易いという問題、接触不良によるインピーダンスが大きくなり発熱してしまうという問題を解決する。【解決手段】  本考案は、前端に収容溝（１１）が形成されるハウジング（１０）と、ハウジング（１０）の内部に固設され、収容溝（１１）と対応する段差部（２１）が設けられる中心ピン（２０）と、貫通孔（３１）を有する端子（３０）と、を含み、組み立て後、中心ピン（２０）の前端はリベット締めされて、端子（３０）、中心ピン（２０）及びハウジング（１０）が一体に組み合わされると共に、端子（３０）の内側が中心ピン（２０）の段差部（２１）に収容され固定されることを特徴とする。【選択図】  図２
0003126093.tif 000002
【実用新案登録請求の範囲】
【請求項１】
前端に収容溝（１１）が形成されるハウジング（１０）と、
前記ハウジング（１０）の内部に固設され、前端が該ハウジング（１０）から突出し、前記収容溝（１１）と対応する段差部（２１）が設けられる中心ピン（２０）と、
前記中心ピン（２０）と対応する貫通孔（３１）を有し、上側が前記収容溝（１１）に嵌め込まれ、且つ該貫通孔（３１）が中心ピン（２０）に環装される端子（３０）と、を含み、
組み立て後は、前記中心ピン（２０）の前端がリベット締めされて、端子（３０）、中心ピン（２０）及びハウジング（１０）が一体に組み合わされると共に、該端子（３０）の内側が中心ピン（２０）の段差部（２１）に収容されて固定されることを特徴とする電気コネクタソケット。
【考案の詳細な説明】
【技術分野】
【０００１】
本考案は、電源の出入力用の電気コネクタソケットである。特に、接触面積が小さいために容易に脱落するいという問題や、接触不良を起こしやすいという問題を解決すると共に、接触不良によりインピーダンスが大きくなる問題、及び、発熱するという問題を解決した電気コネクタソケットに関するものである。
【背景技術】
【０００２】
図５及び図６に示すように、従来の電気コネクタソケットは、プラスチックからなるハウジング（６０）と、該ハウジング（６０）の内部にその前端が突出するように固設される、金属からなる中心ピン（７０）と、貫通孔（８１）が形成され、設置する時、該貫通孔（８１）により前記中心ピン（７０）に環装される端子（８０）と、を有し、該中心ピン（７０）をリベット締めすることにより、端子（８０）、ハウジング（６０）及び中心ピン（７０）を一体に組み合わせる構成である。
【考案の開示】
【考案が解決しようとする課題】
【０００３】
しかしながら、前記従来の電気コネクタソケットは、中心ピン（７０）をリベット締めした時、プラスチックからなるハウジング（６０）が、中心ピン（７０）と端子（８０）からの押圧力を受けるので、変形或いは破損する恐れがあり、特に端子（８０）と中心ピン（７０）との接触面積が非常に小さくなると、容易に脱落するという問題、接触不良を起こしやすいという問題、接触不良によりインピーダンスが大きくなり発熱してしまうという問題が生じる。
【課題を解決するための手段】
【０００４】
本考案の請求項１は、前端に収容溝（１１）が形成されるハウジング（１０）と、
前記ハウジング（１０）の内部に固設され、前端が該ハウジング（１０）から突出し、前記収容溝（１１）と対応する段差部（２１）が設けられる中心ピン（２０）と、
前記中心ピン（２０）と対応する貫通孔（３１）を有し、上側が前記収容溝（１１）に嵌め込まれ、且つ該貫通孔（３１）が中心ピン（２０）に環装される端子（３０）と、を含み、
組み立て後は、前記中心ピン（２０）の前端がリベット締めされて、端子（３０）、中心ピン（２０）及びハウジング（１０）が一体に組み合わされると共に、該端子（３０）の内側が中心ピン（２０）の段差部（２１）に収容されて固定されることを特徴とする電気コネクタソケットを提供する。
【考案の効果】
【０００５】
本考案は上記の課題を解決するものであり、前端に収容溝が形成されるハウジングと、該ハウジングの内部に固設され、前端が該ハウジングから突出し、該収容溝と対応する段差部が設けられる中心ピンと、該中心ピンと対応する貫通孔を有し、上側が前記収容溝に嵌め込まれ、且つ該貫通孔が中心ピンに環装される端子と、を含み、組み立て時には、貫通孔により端子を中心ピンの前端から環装した後、該中心ピンの前端をリベット締めして端子を中心ピンの段差部に位置決め固定するため、プラスチックからなるハウジングがリベット締めによる押圧力を受けても変形や破損する恐れがない。
【０００６】
更に、本考案の電気コネクタソケットに係る端子と中心ピンは、接触状態が安定し、接触面積も大きいため、インピーダンスが小さくなり、前記従来のような諸問題を防ぐことができる。
【０００７】
詳しくは、本考案の電気コネクタソケットは、貫通孔を有する端子と中心ピンの前端とがリベット締めされるが、リベット締めした後、端子は中心ピンの段差部に強固に位置決め固定されるので、従来のように容易に脱落するという問題、接触不良を起こしやすいという問題、接触不良によりインピーダンスが大きくなり発熱してしまうという問題は生じない。
【考案を実施するための最良の形態】
【０００８】
以下、添付図面を参照して本考案の好適な実施の形態を詳細に説明する。
【実施例】
【０００９】
図１は本考案に係る電気コネクタソケットの斜視図であり、図２は本考案に係る電気コネクタソケットの部分分解斜視図であり、図３は本考案に係る電気コネクタソケットの部分分解側断面図であり、図４は本考案に係る電気コネクタソケットの側断面図である。
【００１０】
図１乃至図３に示すように、本考案の電気コネクタソケットは、前端に収容溝（１１）を有する、プラスチックからなるハウジング（１０）と、前記ハウジング（１０）の内部に固設され、前端がハウジング（１０）から突出すると共に、前記収容溝（１１）と対応する位置に段差部（２１）が形成される、金属からなる中心ピン（２０）と、前記中心ピン（２０）の前端と対応する貫通孔（３１）を有する、金属からなる端子（３０）と、から構成される。
【００１１】
また、図４に示すように、本実施例では、貫通孔（３１）により端子（３０）と中心ピン（２０）とが組み合わされると、端子（３０）、中心ピン（２０）及びハウジング（１０）が一体に組み合わされるが、この時、該端子（３０）の内側は、中心ピン（２０）の段差部（２１）に強固に位置決め固定される。
【００１２】
上述したように、本考案では、前記中心ピン（２０）に段差部（２１）が形成されることにより、端子（３０）と中心ピン（２０）との間の接触面積が増加するので、リベット締めした時、より強固に固定できると共に、リベット締めの際に生ずる押圧力を支持できるので、プラスチック製のハウジング（１０）が変形或いは破損することがない。
【００１３】
その上、前記端子（３０）と中心ピン（２０）とをリベット締めした後は、それらの接触部分がより安定すると共に、接触面積が大きくなり、更には接触によるインピーダンスが小さくなる。従って従来のように、端子と中心ピンとの接触面積が非常に小さいことにより容易に脱落するという問題、接触不良を起こしやすいという問題、接触不良によりインピーダンスが大きくなって発熱してしまうという問題が生じることなく、製品が破損することもない。
【００１４】
尚、上述した実施形態は、単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１５】
【図１】本考案に係る電気コネクタソケットの斜視図である。
【図２】本考案に係る電気コネクタソケットの部分分解斜視図である。
【図３】本考案に係る電気コネクタソケットの部分分解側断面図である。
【図４】本考案に係る電気コネクタソケットの側断面図である。
【図５】従来の電気コネクタソケットの部分分解側断面図である。
【図６】従来の電気コネクタソケットの側断面図である。
【符号の説明】
【００１６】
１０        ハウジング
１１        収容溝
２０        中心ピン
２１        段差部
３０        端子
３１        貫通孔
６０        ハウジング
７０        中心ピン
８０        端子
８１        貫通孔
【図１】
0003126093.tif 000003
【図２】
0003126093.tif 000004
【図３】
0003126093.tif 000005
【図４】
0003126093.tif 000006
【図５】
0003126093.tif 000007
【図６】
0003126093.tif 000008